(57)【要約】【課題】冷媒の流路の切換に伴う騒音を抑制する。【解決手段】冷媒回路（6）は、冷媒が臨界圧力以上となる冷凍サイクルを行うように構成される。切換機構（TV1,TV2,TV3,TV4,FV）は、電動機（74）と、該電動機（74）によって駆動される流路切換部（71）と、前記冷媒回路（6）の高圧流路（7,24,28b,31,32）に接続する第１ポート（P1）と、前記冷媒回路（6）の低圧流路（8,25,28a,33,34）に接続する第２ポート（P2）と、前記冷媒回路（6）の所定流路に接続する第３ポート（P3）とを有し、切換機構（TV1,TV2,TV3,TV4,FV）は、前記電動機（74）により前記流路切換部（71）を駆動することで、前記第１ポート（P1）と前記第３ポート（P3）とを連通させる第１状態と、前記第２ポート（P2）と前記第３ポート（P3）とを連通させる第２状態とに切り換えられる。【選択図】図２
2020165585.tif 000002
【特許請求の範囲】
【請求項１】
冷媒が臨界圧力以上となる冷凍サイクルを行う冷媒回路（6）を備えた冷凍装置（1）に設けられる冷凍装置用ユニットであって、
前記冷媒回路（6）の冷媒の流路を切り換える切換機構（TV1,TV2,TV3,TV4,FV）を備え、
前記切換機構（TV1,TV2,TV3,TV4,FV）は、電動機（74）と、該電動機（74）によって駆動される流路切換部（71）と、前記冷媒回路（6）の高圧流路（7,24,28b,31,32）に接続する第１ポート（P1）と、前記冷媒回路（6）の低圧流路（8,25,28a,33,34）に接続する第２ポート（P2）と、前記冷媒回路（6）の所定流路に接続する第３ポート（P3）とを有し、
前記切換機構（TV1,TV2,TV3,TV4,FV）は、前記電動機（74）により前記流路切換部（71）を駆動することで、前記第１ポート（P1）と前記第３ポート（P3）とを連通させる第１状態と、前記第２ポート（P2）と前記第３ポート（P3）とを連通させる第２状態とに切り換えられることを特徴とする冷凍装置用ユニット。
【請求項２】
請求項１において、
前記切換機構は、電動式の三方弁（TV1,TV2,TV3,TV4）で構成されることを特徴とする冷凍装置用ユニット。
【請求項３】
請求項１において、
前記切換機構は、前記第１ポート（P1）と、前記第２ポート（P2）と、前記第３ポート（P3）と、冷媒回路（6）の所定流路に接続する第４ポート（P4）とをさらに有する電動式の四方弁（FV）で構成され、
前記第１状態の四方弁（FV）は、前記電動機（74）によって、前記第１ポート（P1）と前記第３ポート（P3）とを連通させ、且つ前記第２ポート（P2）と前記第４ポート（P4）とを連通させ、
前記第２状態の四方弁（FV）は、前記電動機（74）によって、前記第２ポート（P2）と前記第３ポート（P3）とを連通させ、且つ前記第１ポート（P1）と前記第４ポート（P4）とを連通させることを特徴とする冷凍装置用ユニット。
【請求項４】
請求項１乃至３のいずれか１つにおいて、
前記切換機構（TV1,TV2,TV3,TV4,FV）は、前記電動機（74）によって前記流路切換部（71）を回転駆動するロータリ式の流路切換弁であることを特徴とする冷凍装置用ユニット。
【請求項５】
請求項１乃至４のいずれか１つにおいて、
前記冷媒回路（6）の冷媒は、二酸化炭素であることを特徴とする冷凍装置用ユニット。
【請求項６】
圧縮部（C）及び熱源熱交換器（13）を含むとともに冷媒が臨界圧力以上となる冷凍サイクルを行う冷媒回路（6）を備えた冷凍装置（1）に設けられる熱源ユニットであって、
請求項１乃至５のいずれか１つの冷凍装置用ユニット（30）で構成される熱源ユニット。
【請求項７】
請求項６において、
前記切換機構（TV1,TV2,TV3,FV）の前記状態を切り換える切換動作の開始前、又は該切換動作中に前記圧縮部（C）を停止させる制御部（100）を備えていることを特徴とする熱源ユニット。
【請求項８】
請求項６において、
前記切換機構（TV1,TV2,TV3,FV）の前記状態を切り換える切換動作の開始前、又は該切換動作中に、前記高圧流路（24,28b,31,32）と低圧流路（25,28a,33,34）との圧力差を小さくするように前記圧縮部（C）を制御する制御部（100）を備えていることを特徴とする熱源ユニット。
【請求項９】
請求項８において、
前記圧縮部（C）は、１つの圧縮機（28）で構成され、
前記制御部（100）は、前記切換機構（TV1,TV2,TV3,FV）の前記状態を切り換える切換動作の開始前、又は該切換動作中に前記圧縮機（28）の運転周波数を低下させることを特徴とする熱源ユニット。
【請求項１０】
請求項８において、
前記圧縮部（C）は、前記冷媒回路（6）に直列に接続される第１圧縮機（21）及び第２圧縮機（22）を有し、
前記制御部（100）は、前記切換機構（TV1,TV2,TV3,FV）の前記状態を切り換える切換動作の開始前、又は該切換動作中に前記第１圧縮機（21）及び前記第２圧縮機（22）の少なくとも一方の運転周波数を低下させることを特徴とする熱源ユニット。
【請求項１１】
請求項６乃至１０のいずれか１つにおいて、
前記切換機構（TV1,TV2）の前記状態を切り換える切換動作の開始前、又は該切換動作中に前記高圧流路（24,28b,31,32）と前記低圧流路（25,28a,33,34）との圧力差を小さくする差圧調節機構（14,47,63）を備えていることを特徴とする熱源ユニット。
【請求項１２】
冷媒が臨界圧力以上となる冷凍サイクルを行う冷媒回路（6）を備えた冷凍装置であって、
請求項１乃至５のいずれか１つに記載の冷凍装置用ユニット（30,80）を備えていることを特徴とする冷凍装置。
【請求項１３】
冷媒が臨界圧力以上となる冷凍サイクルを行う冷媒回路（6）を備えた冷凍装置であって、
請求項６乃至１１のいずれか１つに記載の熱源ユニット（30）を備えていることを特徴とする冷凍装置。
【発明の詳細な説明】
【技術分野】
【０００１】
本開示は、冷凍装置用ユニット、熱源ユニット、及び冷凍装置に関する。
【背景技術】
【０００２】
特許文献１に開示の冷凍装置は、圧縮機、熱源熱交換器、利用熱交換器、及び四方切換弁を有する冷媒回路を備える。冷媒回路では、四方切換弁の状態を切り換えることで、冷媒の流路が切り換えられる。
【先行技術文献】
【特許文献】
【０００３】
【特許文献１】特開２００４−４４９２１号公報
【発明の概要】
【発明が解決しようとする課題】
【０００４】
特許文献１に開示の四方切換弁では、冷媒回路の高低差圧を利用することでスプール弁を移動させ、これに伴い冷媒の流路を切り換える。冷凍装置では、二酸化炭素などの冷媒を臨界圧力以上とする冷凍サイクル（以下、超臨界サイクルともいう）を行うものがある。この冷媒回路の高低差圧は、通常の亜臨界域での冷凍サイクルを行う冷媒回路の高低差圧よりも大きい。このため、超臨界サイクルを行う冷媒回路に四方切換弁を用いると、スプール弁に作用する高低差圧が大きくなり、スプール弁の移動時に発生する衝撃音が大きくなるという問題があった。
【０００５】
本開示の目的は、冷媒の流路の切換に伴う騒音を抑制することである。
【課題を解決するための手段】
【０００６】
第１の態様は、冷媒が臨界圧力以上となる冷凍サイクルを行う冷媒回路（6）を備えた冷凍装置（1）に設けられる冷凍装置用ユニットであって、前記冷媒回路（6）の冷媒の流路を切り換える切換機構（TV1,TV2,TV3,TV4,FV）を備え、前記切換機構（TV1,TV2,TV3,TV4,FV）は、電動機（74）と、該電動機（74）によって駆動される流路切換部（71）と、前記冷媒回路（6）の高圧流路（7,24,28b,31,32）に接続する第１ポート（P1）と、前記冷媒回路（6）の低圧流路（8,25,28a,33,34）に接続する第２ポート（P2）と、前記冷媒回路（6）の所定流路に接続する第３ポート（P3）とを有し、前記切換機構（TV1,TV2,TV3,TV4,FV）は、前記電動機（74）により前記流路切換部（71）を駆動することで、前記第１ポート（P1）と前記第３ポート（P3）とを連通させる第１状態と、前記第２ポート（P2）と前記第３ポート（P3）とを連通させる第２状態とに切り換えられる。
【０００７】
第１の態様では、電動機（74）によって流路切換部（71）が駆動されることで、第１ポート（P1）、第２ポート（P2）、及び第３ポート（P3）の連通状態が切り換えられる。
【０００８】
第２の態様は、第１の態様において、切換機構は、電動式の三方弁（TV1,TV2,TV3,TV4）で構成される。
【０００９】
第２の態様では、電動式の三方弁（TV1,TV2,TV3,TV4）によって冷媒回路（6）の流路が切り換えられる。
【００１０】
第３の態様は、第１の態様において、前記切換機構は、前記第１ポート（P1）と、前記第２ポート（P2）と、前記第３ポート（P3）と、冷媒回路（6）の所定流路に接続する第４ポート（P4）とをさらに有する電動式の四方弁（FV）で構成され、前記第１状態の四方弁（FV）は、前記電動機（74）によって、前記第１ポート（P1）と前記第３ポート（P3）とを連通させ、且つ前記第２ポート（P2）と前記第４ポート（P4）とを連通させ、前記第２状態の四方弁（FV）は、前記電動機（74）によって、前記第２ポート（P2）と前記第３ポート（P3）とを連通させ、且つ前記第１ポート（P1）と前記第４ポート（P4）とを連通させる。
【００１１】
第３の態様では、電動式の四方弁（FV）によって冷媒回路（6）の流路が切り換えられる。
【００１２】
第４の態様は、第１乃至第３のいずれか１つの態様において、前記切換機構（TV1,TV2,TV3,TV4,FV）は、前記電動機（74）によって前記流路切換部（71）を回転駆動するロータリ式の流路切換弁である。
【００１３】
第４の態様では、ロータリ式の流路切換弁によって冷媒回路（6）の流路が切り換えられる。
【００１４】
第５の態様は、第１乃至第４のいずれか１つの態様において、冷媒回路（6）の冷媒は、二酸化炭素である。
【００１５】
第５の態様の冷媒回路（6）では、二酸化炭素を臨界圧力以上まで圧縮する冷凍サイクルが行われる。
【００１６】
第６の態様は、圧縮部（C）及び熱源熱交換器（13）を含むとともに冷媒が臨界圧力以上となる冷凍サイクルを行う冷媒回路（6）を備えた冷凍装置（1）に設けられる熱源ユニットであって、第１乃至第５のいずれか１つの態様の冷凍装置用ユニット（30）で構成される熱源ユニットである。
【００１７】
第７の態様は、第６の態様において、前記切換機構（TV1,TV2,TV3,FV）の前記状態を切り換える切換動作の開始前、又は該切換動作中に前記圧縮部（C）を停止させる制御部（100）を備えている。
【００１８】
第７の態様では、切換機構（TV1,TV2,TV3,FV）の切換動作の開始前、又は切換動作中に圧縮部（C）が停止する。これにより、冷媒回路（6）の高低差圧を低減でき、切換動作時の電動機（74）のトルクを軽減できる。
【００１９】
第８の態様は、第６の態様において、前記切換機構（TV1,TV2,TV3,FV）の前記状態を切り換える切換動作の開始前、又は該切換動作中に、前記高圧流路（24,28b,31,32）と低圧流路（25,28a,33,34）との圧力差を小さくするように前記圧縮部（C）を制御する制御部（100）を備えている。
【００２０】
第８の態様では、切換機構（TV1,TV2,TV3,FV）の切換動作の開始前、又は切換動作中に、圧縮部（C）が制御され、高圧流路（24,28b,31,32）と低圧流路（25,28a,33,34）との圧力が小さくなる。これにより、冷媒回路（6）の高低差圧を低減でき、切換動作時の電動機（74）のトルクを軽減できる。
【００２１】
第９の態様は、第８の態様において、圧縮部（C）は、１つの圧縮機（28）で構成され、前記制御部（100）は、前記切換機構（TV1,TV2,TV3,FV）の前記状態を切り換える切換動作の開始前、又は該切換動作中に前記圧縮機（28）の運転周波数を低下させる。
【００２２】
第９の態様では、切換機構（TV1,TV2,TV3,FV）の切換動作の開始前、又は切換動作中に、圧縮機（28）の運転周波数が低下される。これにより、冷媒回路（6）の高低差圧を低減でき、切換動作時の電動機（74）のトルクを軽減できる。
【００２３】
第１０の態様は、第８の態様において、前記圧縮部（C）は、前記冷媒回路（6）に直列に接続される第１圧縮機（21）及び第２圧縮機（22）を有し、前記制御部（100）は、前記切換機構（TV1,TV2,TV3,FV）の前記状態を切り換える切換動作の開始前、又は該切換動作中に前記第１圧縮機（21）及び前記第２圧縮機（22）の少なくとも一方の運転周波数を低下させる。
【００２４】
第１０の態様では、第１圧縮機（21）及び第２圧縮機（22）によって冷媒が二段圧縮されるので、冷媒回路（6）の高低差圧が大きくなる。切換機構（TV1,TV2,TV3,FV）の切換動作の開始前、又は切換動作中に、第１圧縮機（21）及び第２圧縮機（22）の少なくとも一方の運転周波数が低下される。これにより、冷媒回路（6）の高低差圧を低減でき、切換動作時の電動機（74）のトルクを軽減できる。
【００２５】
第１１の態様は、第６乃至第１０のいずれか１つの態様において、前記切換機構（TV1,TV2,TV3,FV）の前記状態を切り換える切換動作の開始前、又は該切換動作中に前記高圧流路（24,28b,31,32）と前記低圧流路（25,28a,33,34）との圧力差を小さくする差圧調節機構（14,47,63）を備えている。
【００２６】
第１１の態様では、前記切換機構（TV1,TV2）の前記状態を切り換える切換動作の開始前、又は該切換動作中に、差圧調節機構（14,47,63）が高圧流路（24,28b,31,32）と前記低圧流路（25,28a,33,34）との圧力差を小さくする。これにより、冷媒回路（6）の高低差圧を低減でき、切換動作時の電動機（74）のトルクを軽減できる。
【００２７】
第１２の態様は、冷媒が臨界圧力以上となる冷凍サイクルを行う冷媒回路（6）を備えた冷凍装置であって、第１乃至第５のいずれか１つの態様の冷凍装置用ユニット（30,80）を備えている。
【００２８】
第１３の態様は、冷媒が臨界圧力以上となる冷凍サイクルを行う冷媒回路（6）を備えた冷凍装置であって、第６乃至第１１のいずれか１つの態様の熱源ユニット（30）を備えている。
【図面の簡単な説明】
【００２９】
【図１】図１は、実施形態１に係る冷凍装置の配管系統図である。
【図２】図２は、三方弁の概略の構成図である。図２(Ａ）は三方弁の第１状態を示す。図２(Ｂ)は三方弁の第２状態を示す。
【図３】図３は、冷設運転の冷媒の流れを示した図１相当図である。
【図４】図４は、冷房運転の冷媒の流れを示した図１相当図である。
【図５】図５は、冷房/冷設運転の冷媒の流れを示した図１相当図である。
【図６】図６は、暖房運転の冷媒の流れを示した図１相当図である。
【図７】図７は、暖房/冷設運転の冷媒の流れを示した図１相当図である。
【図８】図８は、暖房/冷設熱回収運転の冷媒の流れを示した図１相当図である。
【図９】図９は、暖房/冷設余熱運転の冷媒の流れを示した図１相当図である。
【図１０】図１０は、冷房運転から暖房運転へ切り換わる際のフローチャートである。
【図１１】図１１は、暖房負荷に応じた各運転の切換状態を示す表である。
【図１２】図１２は、実施形態２に係る冷凍装置（空気調和装置）の配管系統図である。
【図１３】図１３は、冷房運転の冷媒の流れを示した図１２相当図である。
【図１４】図１４は、暖房運転の冷媒の流れを示した図１２相当図である。
【図１５】図１５は、冷暖同時運転の冷媒の流れを示した図１２相当図である。
【図１６】図１６は、実施形態３の冷凍装置（空気調和装置）の配管系統図である。
【発明を実施するための形態】
【００３０】
以下、本実施形態について図面を参照しながら説明する。なお、以下の実施形態は、本質的に好ましい例示であって、本発明、その適用物、あるいはその用途の範囲を制限することを意図するものではない。
【００３１】
《実施形態１》
〈全体構成〉
実施形態１に係る冷凍装置（1）は、冷却対象の冷却と、室内の空調とを同時に行う。ここでいう冷却対象は、冷蔵庫、冷凍庫、ショーケースなどの設備内の空気を含む。以下では、このような設備を冷設と称する。
【００３２】
図１に示すように、冷凍装置（1）は、室外に設置される室外ユニット（10）と、庫内の空気を冷却する冷設ユニット（50）と、室内の空調を行う室内ユニット（60）と、コントローラ（100）とを備える。冷設ユニット（50）及び室内ユニット（60）の数量は、１つに限らず、２つ以上であってもよい。これらのユニット（10,50,60）が４本の連絡配管（2,3,4,5）によって接続されることで、冷媒回路（6）が構成される。
【００３３】
４本の連絡配管（2,3,4,5）は、第１液連絡配管（2）、第１ガス連絡配管（3）、第２液連絡配管（4）、及び第２ガス連絡配管（5）で構成される。第１液連絡配管（2）及び第１ガス連絡配管（3）は、冷設ユニット（50）に対応する。第２液連絡配管（4）及び第２ガス連絡配管（5）は、室内ユニット（60）に対応する。
【００３４】
冷媒回路（6）では、冷媒が循環することで冷凍サイクルが行われる。本実施形態の冷媒回路（6）の冷媒は、二酸化炭素である。冷媒回路（6）は、冷媒が臨界圧力以上となる冷凍サイクルを行うように構成される。
【００３５】
〈室外ユニット〉
室外ユニット（10）は、屋外に設置される熱源ユニットである。室外ユニット（10）は、室外ファン（12）と、室外回路（11）とを有する。室外回路（11）は、圧縮部（C）、切換ユニット（30）、室外熱交換器（13）、室外膨張弁（14）、レシーバ（15）、冷却熱交換器（16）、及び中間冷却器（17）を有する。
【００３６】
本実施形態の室外ユニット（10）は、切換機構（TV1,TV2）を有する冷凍装置用ユニットである。
【００３７】
〈圧縮部〉
圧縮部（C）は、冷媒を圧縮する。圧縮部（C）は、第１圧縮機（21）、第２圧縮機（22）、及び第３圧縮機（23）を有する。圧縮部（C）は、二段圧縮式に構成される。第２圧縮機（22）及び第３圧縮機（23）は、低段側圧縮機を構成する。第２圧縮機（22）及び第３圧縮機（23）は、互いに並列に接続される。第１圧縮機（21）は、高段側圧縮機を構成する。第１圧縮機（21）及び第２圧縮機（22）は、直列に接続される。第１圧縮機（21）及び第３圧縮機（23）は、直列に接続される。第１圧縮機（21）、第２圧縮機（22）、及び第３圧縮機（23）は、モータによって圧縮機構が駆動される回転式圧縮機である。第１圧縮機（21）、第２圧縮機（22）、及び第３圧縮機（23）は、運転周波数、ないし回転数が調節可能な可変容量式に構成される。
【００３８】
第１圧縮機（21）には、第１吸入管（21a）及び第１吐出管（21b）が接続される。第２圧縮機（22）には、第２吸入管（22a）及び第２吐出管（22b）が接続される。第３圧縮機（23）には、第３吸入管（23a）及び第３吐出管（23b）が接続される。
【００３９】
第２吸入管（22a）は、冷設ユニット（50）に連通する。第２圧縮機（22）は、冷設ユニット（50）に対応する冷設側圧縮機である。第３吸入管（23a）は、室内ユニット（60）に連通する。第３圧縮機（23）は、室内ユニット（60）に対応する室内側圧縮機である。
【００４０】
〈切換ユニット〉
切換ユニット（30）は、冷媒の流路を切り換える。切換ユニット（30）は、第１配管（31）、第２配管（32）、第３配管（33）、第４配管（34）、第１三方弁（TV1）、及び第２三方弁（TV2）を有する。第１配管（31）の流入端と、第２配管（32）の流入端とは、第１吐出管（21b）に接続する。第１配管（31）及び第２配管（32）は、圧縮部（C）の吐出圧が作用する配管である。第３配管（33）の流出端と、第４配管（34）の流出端とは、第３圧縮機（23）の第３吸入管（23a）に接続する。第３配管（33）及び第４配管（34）は、圧縮部（C）の吸入圧が作用する配管である。
【００４１】
第１三方弁（TV1）は、第１ポート（P1）、第２ポート（P2）、及び第３ポート（P3）を有する。第１三方弁（TV1）の第１ポート（P1）は、高圧流路である第１配管（31）の流出端に接続する。第１三方弁（TV1）の第２ポート（P2）は、低圧流路である第３配管（33）の流入端に接続する。第１三方弁（TV1）の第３ポート（P3）は、室内ガス側流路（35）に接続する。
【００４２】
第２三方弁（TV2）は、第１ポート（P1）、第２ポート（P2）、及び第３ポート（P3）を有する。第２三方弁（TV2）の第１ポート（P1）は、高圧流路である第２配管（32）の流出端に接続する。第２三方弁（TV2）の第２ポート（P2）は、低圧流路である第４配管（34）の流入端に接続する。第２三方弁（TV2）の第３ポート（P3）は、室外ガス側流路（36）に接続する。
【００４３】
第１三方弁（TV1）及び第２三方弁（TV2）は、電動式の三方弁である。各三方弁（TV1,TV2）は、第１状態（図１の実線で示す状態）と第２状態（図１の破線で示す状態）とにそれぞれ切り換わる。第１状態の各三方弁（TV1,TV2）では、第１ポート（P1）と第３ポート（P3）とが連通し、且つ第２ポート（P2）が閉鎖される。第２状態の各三方弁（TV1,TV2）では、第２ポート（P2）と第３ポート（P3）とが連通し、第１ポート（P1）が閉鎖される。
【００４４】
〈室外熱交換器〉
室外熱交換器（13）は、熱源熱交換器を構成している。室外熱交換器（13）は、フィン・アンド・チューブ型の空気熱交換器である。室外ファン（12）は、室外熱交換器（13）の近傍に配置される。室外ファン（12）は、室外空気を搬送する。室外熱交換器は、その内部を流れる冷媒と、室外ファン（12）が搬送する室外空気とを熱交換させる。
【００４５】
室外熱交換器（13）のガス端には、室外ガス側流路（36）が接続される。室外熱交換器（13）の液端には、室外流路（O）が接続される。
【００４６】
〈室外流路〉
室外流路（O）は、室外第１管（o1）、室外第２管（o2）、室外第３管（o3）、室外第４管（o4）、室外第５管（o5）、室外第６管（o6）、及び室外第７管（o7）を含む。室外第１管（o1）の一端は、室外熱交換器（13）の液端に接続される。室外第１管（o1）の他端には、室外第２管（o2）の一端、及び室外第３管（o3）の一端がそれぞれ接続される。室外第２管（o2）の他端は、レシーバ（15）の頂部に接続される。室外第４管（o4）の一端は、レシーバ（15）の底部に接続される。室外第４管（o4）の他端には、室外第５管（o5）の一端、及び室外第３管（o3）の他端がそれぞれ接続される。室外第５管（o5）の他端は、第１液連絡配管（2）に接続する。室外第６管（o6）の一端は、室外第５管（o5）の途中に接続する。室外第６管（o6）の他端は、第２液連絡配管（4）に接続する。室外第７管（o7）の一端は、室外第６管（o6）の途中に接続する。室外第7管（o7）の他端は、室外第２管（o2）の途中に接続する。
【００４７】
〈室外膨張弁〉
室外膨張弁（14）は、室外第１管（o1）に接続される。室外膨張弁（14）は、冷媒を減圧する減圧機構である。室外膨張弁（14）は、熱源膨張弁である。室外膨張弁（14）は、開度が可変な電子膨張弁である。
【００４８】
〈レシーバ〉
レシーバ（15）は、冷媒を貯留する容器を構成している。レシーバ（15）では、冷媒がガス冷媒と液冷媒とに分離される。レシーバ（15）の頂部には、室外第２管（o2）の他端と、ガス抜き管（37）の一端が接続される。ガス抜き管（37）の他端は、インジェクション管（38）の途中に接続される。ガス抜き管（37）には、ガス抜き弁（39）が接続される。ガス抜き弁（39）は、開度が可変な電子膨張弁である。
【００４９】
〈冷却熱交換器〉
冷却熱交換器（16）は、レシーバ（15）で分離された冷媒（主として液冷媒）を冷却する。冷却熱交換器（16）は、第１冷媒流路（16a）と、第２冷媒流路（16b）とを有する。第１冷媒流路（16a）は、室外第４管（o4）の途中に接続される。第２冷媒流路（16b）は、インジェクション管（38）の途中に接続される。
【００５０】
インジェクション管（38）の一端は、室外第５管（o5）の途中に接続される。インジェクション管（38）の他端は、第１圧縮機（21）の第１吸入管（21a）に接続される。換言すると、インジェクション管（38）の他端は、圧縮部（C）の中間圧力部分に接続される。インジェクション管（38）には、第２冷媒流路（16b）よりも上流側に減圧弁（40）が設けられる。減圧弁（40）は、開度が可変な膨張弁である。
【００５１】
冷却熱交換器（16）では、第１冷媒流路（16a）を流れる冷媒と、第２冷媒流路（16b）を流れる冷媒とが熱交換する。第２冷媒流路（16b）は、減圧弁（40）で減圧された冷媒が流れる。従って、冷却熱交換器（16）では、第１冷媒流路（16a）を流れる冷媒が冷却される。
【００５２】
〈中間冷却器〉
中間冷却器（17）は、中間流路（41）に接続される。中間流路（41）の一端は、第２圧縮機（22）の第２吐出管（22b）、及び第３圧縮機（23）の第３吐出管（23b）に接続される。中間流路（41）の他端は、第１圧縮機（21）の第１吸入管（21a）に接続される。換言すると、中間流路（41）の他端は、圧縮部（C）の中間圧力部に接続される。
【００５３】
中間冷却器（17）は、フィン・アンド・チューブ型の空気熱交換器である。中間冷却器（17）の近傍には、冷却ファン（17a）が配置される。中間冷却器（17）は、その内部を流れる冷媒と、冷却ファン（17a）が搬送する室外空気とを熱交換させる。
【００５４】
〈油分離回路〉
室外回路（11）は、油分離回路（42）を含む。油分離回路（42）は、油分離器（43）と、第１油戻し管（44）と、第２油戻し管（45）とを有する。油分離器（43）は、第１圧縮機（21）の第１吐出管（21b）に接続される。油分離器（43）は、圧縮部（C）から吐出された冷媒中から油を分離する。第１油戻し管（44）の流入端は、油分離器（43）に接続される。第１油戻し管（44）の流出端は、第２圧縮機（22）の第２吸入管（22a）に接続される。第２油戻し管（45）の流出端は、第３圧縮機（23）の第３吸入管（23a）に接続される。第１油戻し管（44）には、第１油量調節弁（46）が接続される。第２油戻し管（45）には、第２油量調節弁（47）が接続される。
【００５５】
油分離器（43）で分離された油は、第１油戻し管（44）を介して第２圧縮機（22）に戻される。油分離器（43）で分離された油は、第２油戻し管（45）を介して第３圧縮機（23）に戻される。なお、油分離器（43）で分離された油を、第２圧縮機（22）のケーシング内の油溜まりに直接戻してもよい。油分離器（43）で分離された油を、第３圧縮機（23）のケーシング内の油溜まりに直接戻してもよい。
【００５６】
〈逆止弁〉
室外回路（11）は、第１逆止弁（CV1）、第２逆止弁（CV2）、第３逆止弁（CV3）、第４逆止弁（CV4）、第５逆止弁（CV5）、第６逆止弁（CV6）、及び第７逆止弁（CV7）を有する。第１逆止弁（CV1）は、第１吐出管（21b）に接続される。第２逆止弁（CV2）は、第２吐出管（22b）に接続される。第３逆止弁（CV3）は、第３吐出管（23b）に接続される。第４逆止弁（CV4）は、室外第２管（o2）に接続される。第５逆止弁（CV5）は、室外第３管（o3）に接続される。第６逆止弁（CV6）は、室外第６管（o6）に接続される。第７逆止弁（CV7）は、室外第７管（o7）に接続される。これらの逆止弁（CV1〜CV7）は、図１に示す矢印方向の冷媒の流れを許容し、この矢印と反対方向の冷媒の流れを禁止する。
【００５７】
〈冷設ユニット〉
冷設ユニット（50）は、例えば冷蔵倉庫に設置される利用ユニットである。冷設ユニット（50）は、庫内ファン（52）と冷設回路（51）とを有する。冷設回路（51）の液端には、第１液連絡配管（2）が接続される。冷設回路（51）のガス端には、第１ガス連絡配管（3）が接続される。
【００５８】
冷設回路（51）は、液端からガス端に向かって順に、冷設膨張弁（53）及び冷設熱交換器（54）を有する。冷設膨張弁（53）は、第１の利用膨張弁である。冷設膨張弁（53）は、開度が可変な電子膨張弁で構成される。
【００５９】
冷設熱交換器（54）は、第１の利用熱交換器である。冷設熱交換器（54）は、フィン・アンド・チューブ型の空気熱交換器である。庫内ファン（52）は、冷設熱交換器（54）の近傍に配置される。庫内ファン（52）は、庫内空気を搬送する。冷設熱交換器（54）は、その内部を流れる冷媒と、庫内ファン（52）が搬送する庫内空気とを熱交換させる。
【００６０】
〈室内ユニット〉
室内ユニット（60）は、屋内に設置される利用ユニットである。室内ユニット（60）は、室内ファン（62）と、室内回路（61）とを有する。室内回路（61）の液端には、第２液連絡配管（4）が接続される。室内回路（61）のガス端には、第２ガス連絡配管（5）が接続される。
【００６１】
室内回路（61）は、液端からガス端に向かって順に、室内膨張弁（63）及び室内熱交換器（64）を有する。室内膨張弁（63）は、第２の利用膨張弁である。室内膨張弁（63）は、開度が可変な電子膨張弁である。
【００６２】
室内熱交換器（64）は、第２の利用熱交換器である。室内熱交換器（64）は、フィン・アンド・チューブ型の空気熱交換器である。室内ファン（62）は、室内熱交換器（64）の近傍に配置される。室内ファン（62）は、室内空気を搬送する。室内熱交換器（64）は、その内部を流れる冷媒と、室内ファン（62）が搬送する室内空気とを熱交換させる。
【００６３】
〈センサ〉
冷凍装置（1）は、各種のセンサ（図示省略）を有する。これらのセンサが検出する指標の一例として、冷媒回路（6）の高圧冷媒の温度／圧力、低圧冷媒の温度／圧力、中間圧冷媒の温度／圧力、室外熱交換器（13）の冷媒の温度、冷設熱交換器（54）の冷媒の温度、室内熱交換器（64）の冷媒の温度、第２圧縮機（22）の吸入冷媒の過熱度、第３圧縮機（23）の吸入冷媒の過熱度、第１〜第３圧縮機（C1,C2,C3）の吐出冷媒の過熱度、室外空気の温度、庫内空気の温度、室内空気の温度がなど挙げられる。
【００６４】
〈コントローラ〉
制御部であるコントローラ（100）は、制御基板上に搭載されたマイクロコンピュータと、該マイクロコンピュータを動作させるためのソフトウエアを格納するメモリディバイス（具体的には半導体メモリ）とを含む。コントローラ（100）は、運転指令やセンサの検出信号に基づいて、冷凍装置（1）の各機器を制御する。コントローラ（100）による各機器の制御により、冷凍装置（1）の運転が切り換えられる。
【００６５】
〈切換機構〉
第１三方弁（TV1）及び第２三方弁（TV2）は、切換機構を構成する。切換機構の構成について図２を参照しながら説明する。第１三方弁（TV1）及び第２三方弁（TV2）の構造は同じであるため、以下では第１三方弁（TV1）を代表して説明する。
【００６６】
第１三方弁（TV1）は、電動式のロータリ式の弁である。第１三方弁（TV1）は、筒状の筐体（70）と、該筐体（70）の内部に配置される流路切換部（71）とを有する。流路切換部（71）は、筐体（70）の内部に回転可能に保持される。
【００６７】
筐体（70）には、第１ポート（P1）と第２ポート（P2）と第３ポート（P3）とが形成される。第１ポート（P1）は、高圧流路（第１吐出管（21b））に接続し、第２ポート（P2）は、低圧流路（第３吸入管（23a））に接続する。第３ポート（P3）は、所定流路に接続する。
【００６８】
流路切換部（71）には、各ポート（P1,P2,P3）を連通させるための内部流路（73）が形成される。本例の内部流路（73）は、軸直角断面視において、略Ｌ字状に形成されるが、この形状に限られない。
【００６９】
図２において二点鎖線で示すように、第１三方弁（TV1）は、電動機（74）を有する。電動機（74）は、駆動軸（図示省略）を介して流路切換部（71）と連結する。電動機（74）は、流路切換部（71）を回転駆動させる。図２の(Ａ)に示す第１状態では、第１ポート（P1）と第３ポート（P3）とが内部流路（73）を介して連通する。第２ポート（P2）は流路切換部（71）の外周面によって閉塞される。この状態から、電動機（74）が流路切換部（71）を回転駆動させると、第１三方弁（TV1）が第２状態になる。図２の(Ｂ)に示す第２状態では、第２ポート（P2）と第３ポート（P3）とが内部流路（73）を介して連通する。第１ポート（P1）は流路切換部（71）の外周面によって閉塞される。第２状態の第１三方弁（TV1）を第１状態に戻す場合、電動機（74）が流路切換部（71）を逆回転させる。
【００７０】
以上のように、電動機（74）が流路切換部（71）を正転、及び逆転させることで、第１三方弁（TV1）が第１状態と第２状態との間で切り換えられる。第２三方弁（TV2）の構造は、第１三方弁（TV1）と同様である。
【００７１】
−運転動作−
冷凍装置（1）の運転動作について詳細に説明する。冷凍装置（1）の運転は、冷設運転、冷房運転、冷房/冷設運転、暖房運転、暖房/冷設運転、暖房/冷設熱回収運転、暖房/冷設余熱運転、及びデフロスト運転を含む。
【００７２】
冷設運転では、冷設ユニット（50）が運転され、室内ユニット（60）は停止する。冷房運転では、冷設ユニット（50）が停止し、室内ユニット（60）が冷房を行う。冷房/冷設運転では、冷設ユニット（50）が運転され、室内ユニット（60）が冷房を行う。暖房運転では、冷設ユニット（50）が停止し、室内ユニット（60）が暖房を行う。暖房/冷設運転、暖房/冷設熱回収運転、及び暖房/冷設余熱運転のいずれにおいても、冷設ユニット（50）が運転され、室内ユニット（60）が暖房を行う。デフロスト運転では、冷設ユニット（50）が運転され、室外熱交換器（13）の表面の霜を融かす動作が行われる。
【００７３】
暖房/冷設運転は、室内ユニット（60）の必要な暖房能力が比較的大きい条件下で実行される。暖房/冷設余熱運転は、室内ユニット（60）の必要な暖房能力が比較的小さい条件下で実行される。暖房/冷設熱回収運転は、室内ユニット（60）の必要な暖房能力が、暖房/冷設運転の間である条件下（冷設と暖房がバランスする条件下）で実行される。
【００７４】
〈冷設運転〉
図３に示す冷設運転では、第１三方弁（TV1）が第２状態、第２三方弁（TV2）が第１状態となる。室外膨張弁（14）が所定開度で開放され、冷設膨張弁（53）の開度が過熱度制御により調節され、室内膨張弁（63）が全閉状態となり、減圧弁（40）の開度が適宜調節される。室外ファン（12）及び庫内ファン（52）が運転され、室内ファン（62）は停止する。第１圧縮機（21）及び第２圧縮機（22）が運転され、第３圧縮機（23）は停止する。冷設運転では、圧縮部（C）で圧縮された冷媒が、室外熱交換器（13）で放熱し、冷設熱交換器（54）で蒸発する冷凍サイクルが行われる。
【００７５】
図３に示すように、第２圧縮機（22）で圧縮された冷媒は、中間冷却器（17）で冷却された後、第１圧縮機（21）に吸入される。第１圧縮機（21）で圧縮された冷媒は、室外熱交換器（13）で放熱し、レシーバ（15）を流れ、冷却熱交換器（16）で冷却される。冷却熱交換器（16）で冷却された冷媒は、冷設膨張弁（53）で減圧された後、冷設熱交換器（54）で蒸発する。この結果、庫内空気が冷却される。冷却熱交換器（16）で蒸発した冷媒は、第２圧縮機（22）に吸入され、再び圧縮される。
【００７６】
〈冷房運転〉
図４に示す冷房運転では、第１三方弁（TV1）が第２状態、第２三方弁（TV2）が第１状態となる。室外膨張弁（14）が所定開度で開放され、冷設膨張弁（53）が全閉状態となり、室内膨張弁（63）の開度が過熱度制御により調節され、減圧弁（40）の開度が適宜調節される。室外ファン（12）、及び室内ファン（62）が運転され、庫内ファン（52）は停止する。第１圧縮機（21）及び第３圧縮機（23）が運転され、第２圧縮機（22）は停止する。冷房運転では、圧縮部（C）で圧縮された冷媒が、室外熱交換器（13）で放熱し、室内熱交換器（64）で蒸発する冷凍サイクルが行われる。
【００７７】
図４に示すように、第３圧縮機（23）で圧縮された冷媒は、中間冷却器（17）で冷却された後、第１圧縮機（21）に吸入される。第１圧縮機（21）で圧縮された冷媒は、室外熱交換器（13）で放熱し、レシーバ（15）を流れ、冷却熱交換器（16）で冷却される。冷却熱交換器（16）で冷却された冷媒は、室内膨張弁（63）で減圧された後、室内熱交換器（64）で蒸発する。この結果、室内空気が冷却される。室内熱交換器（64）で蒸発した冷媒は、第３圧縮機（23）に吸入され、再び圧縮される。
【００７８】
〈冷房/冷設運転〉
図５に示す冷房/冷設運転では、第１三方弁（TV1）が第２状態、第２三方弁（TV2）が第１状態となる。室外膨張弁（14）が所定開度で開放され、冷設膨張弁（53）及び室内膨張弁（63）の各開度が過熱度制御により調節され、減圧弁（40）の開度が適宜調節される。室外ファン（12）、庫内ファン（52）、及び室内ファン（62）が運転される。第１圧縮機（21）、第２圧縮機（22）、及び第３圧縮機（23）が運転される。冷房/冷設運転では、圧縮部（C）で圧縮された冷媒が、室外熱交換器（13）で放熱し、冷設熱交換器（54）及び室内熱交換器（64）で蒸発する冷凍サイクルが行われる。
【００７９】
図５に示すように、第２圧縮機（22）及び第３圧縮機（23）でそれぞれ圧縮された冷媒は、中間冷却器（17）で冷却された後、第１圧縮機（21）に吸入される。第１圧縮機（21）で圧縮された冷媒は、室外熱交換器（13）で放熱し、レシーバ（15）を流れ、冷却熱交換器（16）で冷却される。冷却熱交換器（16）で冷却された冷媒は、冷設ユニット（50）と室内ユニット（60）とに分流する。冷設膨張弁（53）で減圧された冷媒は、冷設熱交換器（54）で蒸発する。冷設熱交換器（54）で蒸発した冷媒は、第２圧縮機（22）に吸入され、再び圧縮される。室内膨張弁（63）で減圧された冷媒は、室内熱交換器（64）で蒸発する。室内熱交換器（64）で蒸発した冷媒は、第３圧縮機（23）に吸入され、再び圧縮される。
【００８０】
〈暖房運転〉
図６に示す暖房運転では、第１三方弁（TV1）が第１状態、第２三方弁（TV2）が第２状態となる。室内膨張弁（63）が所定開度で開放され、冷設膨張弁（53）が全閉状態となり、室外膨張弁（14）の開度が過熱度制御により調節され、減圧弁（40）の開度が適宜調節される。室外ファン（12）及び室内ファン（62）が運転され、庫内ファン（52）が停止する。第１圧縮機（21）及び第３圧縮機（23）が運転され、第２圧縮機（22）は停止する。暖房運転では、圧縮部（C）で圧縮された冷媒が、室内熱交換器（64）で放熱し、室外熱交換器（13）で蒸発する冷凍サイクルが行われる。
【００８１】
図６に示すように、第３圧縮機（23）で圧縮された冷媒は、中間冷却器（17）で冷却された後、第１圧縮機（21）に吸入される。第１圧縮機（21）で圧縮された冷媒は、室内熱交換器（64）で放熱する。この結果、室内空気が加熱される。室内熱交換器（64）で放熱した冷媒は、レシーバ（15）を流れ、冷却熱交換器（16）で冷却される。冷却熱交換器（16）で冷却された冷媒は、室外膨張弁（14）で減圧された後、室外熱交換器（13）で蒸発する。室外熱交換器（13）で蒸発した冷媒は、第３圧縮機（23）に吸入され、再び圧縮される。
【００８２】
〈暖房/冷設運転〉
図７に示す暖房/冷設運転では、第１三方弁（TV1）が第１状態、第２三方弁（TV2）が第２状態に設置される。室内膨張弁（63）が所定開度で開放され、冷設膨張弁（53）及び室外膨張弁（14）の開度が過熱度制御により調節され、減圧弁（40）の開度が適宜調節される。室外ファン（12）、庫内ファン（52）、及び室内ファン（62）が運転される。第１圧縮機（21）、第２圧縮機（22）、及び第３圧縮機（23）が運転される。暖房/冷設運転では、圧縮部（C）で圧縮された冷媒が、室内熱交換器（64）で放熱し、冷設熱交換器（54）及び室外熱交換器（13）で蒸発する冷凍サイクルが行われる。
【００８３】
図７に示すように、第２圧縮機（22）及び第３圧縮機（23）でそれぞれ圧縮された冷媒は、中間冷却器（17）で冷却された後、第１圧縮機（21）に吸入される。第１圧縮機（21）で圧縮された冷媒は、室内熱交換器（64）で放熱する。この結果、室内空気が加熱される。室内熱交換器（64）で放熱した冷媒は、レシーバ（15）を流れ、冷却熱交換器（16）で冷却される。冷却熱交換器（16）で冷却された冷媒の一部は、室外膨張弁（14）で減圧された後、室外熱交換器（13）で蒸発する。室外熱交換器（13）で蒸発した冷媒は、第３圧縮機（23）に吸入され、再び圧縮される。
【００８４】
冷却熱交換器（16）で冷却された冷媒の残りは、冷設膨張弁（53）で減圧された後、冷設熱交換器（54）で蒸発する。この結果、庫内空気が冷却される。冷設熱交換器（54）で蒸発した冷媒は、第２圧縮機（22）に吸入され、再び圧縮される。
【００８５】
〈暖房/冷設熱回収運転〉
図８に示す暖房/冷設熱回収運転は、第１三方弁（TV1）が第１状態、第２三方弁（TV2）が第２状態となる。室内膨張弁（63）が所定開度で開放され、室外膨張弁（14）が全閉状態となり、冷設膨張弁（53）の開度が過熱度制御により調節され、減圧弁（40）の開度が適宜調節される。室内ファン（62）及び庫内ファン（52）が運転され、室外ファン（12）が停止する。第１圧縮機（21）及び第２圧縮機（22）が運転され、第３圧縮機（23）は停止する。暖房/冷設熱回収運転では、圧縮部（C）で圧縮された冷媒が、室内熱交換器（64）で放熱し、冷設熱交換器（54）で蒸発し、室外熱交換器（13）が実質的に停止する冷凍サイクルが行われる。
【００８６】
図８に示すように、第２圧縮機（22）で圧縮された冷媒は、中間冷却器（17）で冷却された後、第１圧縮機（21）に吸入される。第１圧縮機（21）で圧縮された冷媒は、室内熱交換器（64）で放熱する。この結果、室内空気が加熱される。室内熱交換器（64）で放熱した冷媒は、レシーバ（15）を流れ、冷却熱交換器（16）で冷却される。冷却熱交換器（16）で冷却された冷媒は、冷設膨張弁（53）で減圧された後、冷設熱交換器（54）で蒸発する。冷設熱交換器（54）で蒸発した冷媒は、第２圧縮機（22）に吸入され、再び圧縮される。
【００８７】
〈暖房/冷設余熱運転〉
図９に示すように、暖房/冷設余熱運転では、第１三方弁（TV1）が第１状態、第２三方弁（TV2）が第１状態となる。室内膨張弁（63）及び室外膨張弁（14）が所定開度で開放され、冷設膨張弁（53）の開度が過熱度制御により調節され、減圧弁（40）の開度が適宜調節される。室外ファン（12）、庫内ファン（52）、及び室内ファン（62）が運転される。第１圧縮機（21）及び第２圧縮機（22）が運転され、第３圧縮機（23）は停止する。暖房/冷設余熱運転では、圧縮部（C）で圧縮された冷媒が、室内熱交換器（64）及び室外熱交換器（13）で放熱し、冷設熱交換器（54）で蒸発する冷凍サイクルが行われる。
【００８８】
図９に示すように、第２圧縮機（22）で圧縮された冷媒は、中間冷却器（17）で冷却された後、第１圧縮機（21）に吸入される。第１圧縮機（21）で圧縮された冷媒の一部は、室外熱交換器（13）で放熱する。第１圧縮機（21）で圧縮された冷媒の残りは、室内熱交換器（64）で放熱する。この結果、室内空気が加熱される。室外熱交換器（13）で放熱した冷媒と、室内熱交換器（64）で放熱した冷媒とは、合流した後、レシーバ（15）を流れ、冷却熱交換器（16）で冷却される。冷却熱交換器（16）で冷却された冷媒は、冷設膨張弁（53）で減圧された後、冷設熱交換器（54）で蒸発する。この結果、庫内空気が冷却される。冷設熱交換器（54）で蒸発した冷媒は、第２圧縮機（22）に吸入され、再び圧縮される。
【００８９】
〈デフロスト運転〉
デフロスト運転では、図４に示す冷房運転と同じ動作が行われる。デフロスト運転では、第２圧縮機（22）及び第１圧縮機（21）で圧縮された冷媒が、室外熱交換器（13）で放熱する。この結果、室外熱交換器（13）の表面の霜が内部から加熱される。室外熱交換器（13）の除霜に利用された冷媒は、室内熱交換器（64）で蒸発した後、第２圧縮機（22）に吸入され、再び圧縮される。
【００９０】
−切換機構の作用効果−
冷凍装置（1）では、上述した各運転の切換時において、切換ユニット（30）の状態が適宜切り換えられる。具体的には、第１三方弁（TV1）が第１状態及び第２状態の何れかに切り換えられ、第２三方弁（TV2）が第１状態及び第２状態の何れかに切り換えられる。
【００９１】
従来例のパイロット式の四方切換弁では、冷媒回路（6）の高低差圧を利用して、スプール弁を駆動する。本実施形態の冷媒回路（6）は、圧縮部（C）によって高圧冷媒を臨界圧力以上まで圧縮する冷凍サイクル（いわゆる超臨界サイクル）が行われる。このため、本実施形態の冷媒回路（6）において、従来のパイロット式の四方切換弁を採用すると、スプール弁に作用する高低差圧が過剰に大きくなり、スプール弁の切換に伴う衝撃が大きくなる。これに伴い、四方切換弁、及び四方切換弁が接続する配管が破損する問題があった。加えて、四方切換弁の切換時の騒音が大きくなる問題があった。
【００９２】
本実施形態では、このような課題を考慮し、切換機構を電動式の三方弁（TV1,TV2）としている。図２に示すように、第１三方弁（TV1）及び第２三方弁（TV2）の切換時には、電動機（74）によって流路切換部（71）が駆動され、これに伴い第１状態と第２状態とが切り換えられる。このため、本実施形態の切換機構（TV1,TV2）では、高低差圧によってスプール弁に大きな衝撃が作用することがない。この結果、各三方弁（TV1,TV2）の切換動作時において、衝撃音に起因して三方弁（TV1,TV2）、及びその周辺の配管が破損したり、大きな騒音が発生したりすることを抑制できる。
【００９３】
−切換動作時の制御−
ところで、各三方弁（TV1,TV2）を電動式とすると、電動機（74）によって流路切換部（71）を駆動させる際、電動機（74）に負荷がかかる。具体的には、電動機（74）によって流路切換部（71）を回転駆動させる際、電動機（74）でトルクが発生する。ここで、三方弁（TV1,TV2）の第１ポート（P1）は、高圧流路に接続され、第２ポート（P2）は、低圧流路に接続される。このため、冷媒回路（6）の高低差圧が大きいと、この差圧により流路切換部（71）が所定方向に押し付けられる。この結果、電動機（74）のトルクが増大し、電動機（74）の消費電力が増大するという問題があった。本実施形態では、この課題を考慮し、電動機（74）のトルクを軽減する制御を行う。
【００９４】
図１０に示すように、上述した冷房運転（図４）において、コントローラ（100）に暖房運転を実行する指令が入力される（ステップST1）。すると、コントローラ（100）は、第１圧縮機（21）及び第２圧縮機（22）を停止させる（ステップST2）。これにより、冷媒回路（6）の高低差圧を低減できる。
【００９５】
次いで、コントローラ（100）は、冷媒回路（6）の高圧流路と低圧流路とを均圧させる制御を行う（ステップST3）。この均圧制御は、次の第１制御、及び第２制御の少なくとも１つを含む。第１制御は、室内膨張弁（63）の開度を大きくする、あるいは全開とする制御である。室内膨張弁（63）の開度を大きく、あるいは全開とすることで冷媒回路（6）の高圧流路（第１配管（31）及び第２配管（32））と低圧流路（第３配管（33）及び第４配管（34））との圧力差が小さくなっていく。第２制御は、高圧流路と低圧流路とを連通させる制御である。本実施形態の第２制御は、第２油戻し管（45）の第２油量調節弁（47）を開放させる制御である。第２油戻し管（45）は、一端が第１吐出管（21b）に連通し、他端が第３吸入管（23a）に接続する。従って、第２油量調節弁（47）を開放することで、高圧流路と、低圧流路の圧力差が小さくなっていく。なお、ステップST2の圧縮部（C）の停止制御と、ステップST3の均圧制御を同時に実行してもよい。
【００９６】
このように、本例では、室内膨張弁（63）及び第２油量調節弁（47）が、冷媒回路（6）の高圧流路と低圧流路との圧力差を小さくする差圧調節機構を構成する。
【００９７】
次いで、コントローラ（100）は、切換機構の切換動作を開始させる（ステップST4）。具体的には、各三方弁（TV1,TV2）の各電動機（74）をそれぞれ制御し、各流路切換部（71）を回転駆動させる（ステップST4）。切換動作の開始時には、ステップST2及びS34の制御により、冷媒回路（6）の高低差圧が小さくなっている。このため、各流路切換部（71）に作用する高低差圧が小さくなり、各電動機（74）のトルクを軽減できる。この結果、切換動作における電動機（74）の消費電力を低減できる。
【００９８】
次いで、第１三方弁（TV1）及び第２三方弁（TV2）の切換動作が完了すると（ステップST5）、ステップST6へ移行し、第１圧縮機（21）及び第２圧縮機（22）が運転される（ステップST6）。この結果、暖房運転が実行される。
【００９９】
図１０に示す制御は、冷設ユニット（50）が停止した状態において、第１冷凍サイクルと第２冷凍サイクルとの間での切換動作時に実行される。第１冷凍サイクルは、熱源熱交換器（室外熱交換器（13））を放熱器とし、利用熱交換器（室内熱交換器（64））を蒸発器とする冷凍サイクルである。第２冷凍サイクルは、利用熱交換器（室内熱交換器（64））を放熱器とし、熱源熱交換器（室外熱交換器（13））を蒸発器とする冷凍サイクルである。従って、図１０に示す制御は、暖房運転から冷房運転への切換時、暖房運転からデフロスト運転への切換時、デフロスト運転から暖房運転の切換時にも実行される。
【０１００】
なお、上述した例では、切換機構（三方弁（TV1,TV2））の切換動作の開始前に、圧縮部（C）を停止させている。しかし、切換機構（三方弁（TV1,TV2））の切換動作中に圧縮部（C）を停止させてもよい。
【０１０１】
暖房運転から冷房運転への切換時、及び暖房運転からデフロスト運転の切換時には、上述した均圧制御において、室外膨張弁（14）の開度を大きくする、あるいは全開とする。室外膨張弁（14）の開度を大きく、あるいは全開とすることで高圧流路と低圧流路との圧力差が小さくなっていく。この場合、室外膨張弁（14）が、高圧流路と低圧流路との圧力差を小さくする差圧調節機構を構成する。
【０１０２】
上述した例では、切換機構（三方弁（TV1,TV2））の切換動作の開始前に、均圧制御を行っている。しかし、切換機構（三方弁（TV1,TV2））の切換動作中に均圧制御を行ってもよい。
【０１０３】
〈暖房中の切換動作〉
図１１に示すように、冷設運転において、暖房負荷が増大していくと、暖房/冷設余熱運転、暖房/冷設熱回収運転、暖房/冷設運転へと順に運転が切り換えられる。逆に、暖房負荷が低下していくと、暖房/冷設運転、暖房/冷設熱回収運転、暖房/冷設余熱運転、冷設運転へと順に運転が切り換えられる。これらの４つの運転では、いずれも冷設ユニット（50）で庫内を冷却するために第２圧縮機（22）が運転される。従って、これらの４つの運転の切換時には、図１０のステップST2のように、第１圧縮機（21）及び第２圧縮機（22）を停止する制御、及び均圧制御は行われない。これらの制御により、冷設ユニット（50）の冷却能力が低下してしまう可能性があるからである。
【０１０４】
これらの４つの運転の切換時には、コントローラ（100）によって、圧縮部（C）を運転しながら、該圧縮部（C）の高圧流路と低圧流路との圧力差を小さくするように、圧縮部（C）が制御される。
【０１０５】
具体的には、例えばコントローラ（100）に冷設運転（図３）から暖房/冷設余熱運転に切り換える指令が入力されるとする。この場合、コントローラ（100）は、各三方弁（TV1,TV2）の切換動作の開始前において、第１圧縮機（21）の運転周波数、ないし回転数を低下させる制御を行う。この制御では、第１圧縮機（21）の運転周波数を最低運転周波数とするのがよい。換言すると、第１圧縮機（21）の回転数を最低回転数とするのがよい。
【０１０６】
これにより、高圧流路の圧力が低下し、ひいては高圧流路と低圧流路との圧力差が小さくなる。次いで、コントローラ（100）は、第１三方弁（TV1）及び第２三方弁（TV2）の切換動作を行う。次いで、第１圧縮機（21）の運転周波数ないし回転数ないしを暖房負荷に応じた所定値に戻す。この結果、冷設運転から暖房/冷設余熱運転に移行する。
【０１０７】
このような圧縮部（C）の制御は、図１１に示す各運転のいずれの切換時にも採用できる。なお、コントローラ（100）は、三方弁（TV1,TV2）の切換動作中に第１圧縮機（21）の運転周波数を低下させる制御を行ってもよい。加えて、高圧流路と低圧流路との圧力差を小さくするために、第２圧縮機（22）の運転周波数を低下させてもよいし、第１圧縮機（21）と第２圧縮機（22）の双方の運転周波数を低下させてもよい。
【０１０８】
−実施形態１の効果−
実施形態では、冷媒が臨界圧力以上となる冷凍サイクルを行う冷媒回路（6）を備えた冷凍装置（1）に設けられる冷凍装置用ユニット（室外ユニット（60））であって、冷媒回路（6）の冷媒の流路を切り換える切換機構（TV1,TV2）を備え、冷媒回路（6）切換機構（TV1,TV2）は、電動機（74）と、該電動機（74）によって駆動される流路切換部（71）と、冷媒回路（6）の高圧流路（31,32）に接続する第１ポート（P1）と、冷媒回路（6）の低圧流路（33,34）に接続する第２ポート（P2）と、冷媒回路（6）の所定流路に接続する第３ポート（P3）とを有し、切換機構（TV1,TV2）は、電動機（74）により流路切換部（71）を駆動することで、第１ポート（P1）と第３ポート（P3）とを連通させる第１状態と、第２ポート（P2）と第３ポート（P3）とを連通させる第２状態とに切り換えられる。
【０１０９】
この構成により、上述した各運転の切換時には、電動機（74）が流路切換部（71）を駆動することにより、冷媒回路（6）の流路が切り換えられる。このため、いわゆる超臨界サイクルが行われる冷媒回路（6）であっても、高低差圧に起因して騒音が発生したり、切換機構（TV1,TV2）及び配管が損傷してしまったりすることを回避できる。
【０１１０】
実施形態は、切換機構（TV1,TV2）の状態を切り換える切換動作の開始前、又は切換動作中に圧縮部（C）を停止させるコントローラ（100）を備えている。
【０１１１】
この構成により、第１冷凍サイクルと第２冷凍サイクルとの間の切換時において、各三方弁（TV1,TV2）に作用する高低差圧を低減できる。この結果、各三方弁（TV1,TV2）の電動機（74）のトルクを軽減でき、電動機（74）の消費電力を削減できる。
【０１１２】
実施形態では、切換機構（TV1,TV2）の状態を切り換える切換動作の開始前、又は該切換動作中に高圧流路（31,32）と低圧流路（33,34）との圧力差を小さくする差圧調節機構（14,47,63）を備えている。
【０１１３】
この構成により、切換機構（TV1,TV2）の切換時において、高圧流路と低圧流路との差圧を確実に低減できる。この結果、各三方弁（TV1,TV2）の電動機（74）のトルクを軽減でき、電動機（74）の消費電力を削減できる。
【０１１４】
実施形態では、切換機構（TV1,TV2）の状態を切り換える切換動作の開始前、又は切換動作中に、高圧流路（31,32）と低圧流路（33,34）との圧力差を小さくするように圧縮部（C）を制御するコントローラ（100）を備えている。
【０１１５】
この構成により、図１１に示す各運転の切換時において、圧縮部（C）を停止せずとも、高圧流路と低圧流路との圧力差を低減できる。この結果、図１１に示す各暖房運転を切り換える際、各三方弁（TV1,TV2）の電動機（74）のトルクを軽減でき、電動機（74）の消費電力を削減できる。暖房運転は一時的に停止することなく継続して行われる。
【０１１６】
実施形態では、圧縮部（C）が、二段圧縮式に構成される。このため、冷媒回路（6）の高低差圧が大きくなる。しかしながら、このように高圧流路と低圧流路との圧力差を低減することで、電動機（74）のトルクを確実に低減できる。
【０１１７】
実施形態では、直列に接続する第１圧縮機（21）及び第２圧縮機（22）のうち、第１圧縮機（21）の運転周波数を低下させる。このため、第２圧縮機（22）の運転周波数が低下することに起因して冷設ユニット（50）の冷却能力が低下することを抑制できる。従って、図１１に示す各運転の切換時において、冷設ユニット（50）の庫内の空気温度が上昇することを抑制できる。
【０１１８】
《実施形態２》
図１２に示す実施形態２の冷凍装置は、空気調和装置（1A）を構成している。空気調和装置（1A）は、室外ユニット（10）と、複数の室内ユニット（60）と、各室内ユニット（60）に１つずつ対応する複数の中間ユニット（80）とを有する。実施形態２の空気調和装置（1A）は、ある室内ユニット（60）で室内の暖房を行うと同時に他の室内ユニット（60）で室内の冷房を行う運転（冷暖同時運転）が可能に構成される。図１２において、室内ユニット（60）及び中間ユニット（80）の数量は単なる例示である。室内ユニット（60）及び中間ユニット（80）を３台以上設けてもよい。本例の空気調和装置（1A）は、厳密には、第１室内ユニット（60A）と、第１室内ユニット（60A）に対応する第１中間ユニット（80A）とを有する。本例の空気調和装置（1A）は、厳密には、第２室内ユニット（60B）と、第２室内ユニット（60B）に対応する第２中間ユニット（80B）とを有する。
【０１１９】
空気調和装置（1A）では、室外ユニット（10）と複数の室内ユニット（60）とが、３本の連絡配管（7,8,9）及び複数の中間ユニット（80）を介して互いに接続される。これにより、冷媒回路（6）が構成される。冷媒回路（6）は、冷媒が臨界圧力以上となる冷凍サイクルを行うように構成される。３本の連絡配管は、高圧連絡配管（7）、低圧連絡配管（8）、及び中継連絡配管（9）で構成される。
【０１２０】
〈室外ユニット〉
室外ユニット（10）は、室外ファン（12）と室外回路（11）とを有する熱源ユニットである。室外回路（11）は、１台の圧縮機（28）（圧縮部（C））と、室外熱交換器（13）と、室外膨張弁（14）と、第３三方弁（TV3）とを有する。なお、室外回路（11）に２つ以上の室外熱交換器を設けてもよい。室外ユニット（10）は、切換機構（TV3）を有する冷凍装置用ユニットである。
【０１２１】
第３三方弁（TV3）は、実施形態１と同様、電動式のロータリ式の三方弁である。第３三方弁（TV3）は、第１ポート（P1）と第２ポート（P2）と第３ポート（P3）とを有する。第３三方弁（TV3）の第１ポート（P1）は、高圧流路である高圧管（24）の一端に接続する。高圧管（24）の他端は、圧縮機（28）の吐出管（28b）に接続する。第３三方弁（TV3）の第２ポート（P2）は、低圧流路である低圧管（25）の一端に接続する。低圧管（25）の他端は圧縮機（28）の吸入管（28a）に接続する。第３三方弁（TV3）の第３ポート（P3）は、室外流路（O）の一端に接続する。室外流路（O）の他端は、高圧連絡配管（7）に接続する。室外流路（O）には、ガス側から液側に向かって順に、室外熱交換器（13）、室外膨張弁（14）が接続される。吐出管（28b）は、高圧連絡配管（7）に連通する。吸入管（28a）は、低圧連絡配管（8）に連通する。
【０１２２】
第３三方弁（TV3）は、第１状態（図１２の実線で示す状態）と第２状態（図１２の破線で示す状態）とにそれぞれ切り換わる。第１状態の第３三方弁（TV3）では、第１ポート（P1）と第３ポート（P3）とが連通し、且つ第２ポート（P2）が閉鎖される。第２状態の第３三方弁（TV）では、第２ポート（P2）と第３ポート（P3）とが連通し、第１ポート（P1）が閉鎖される。
【０１２３】
〈室内ユニット〉
室内ユニット（60）は、室内ファン（62）と室内回路（61）とを有する。室内回路（61）は、液端からガス端に向かって順に、室内膨張弁（63）及び室内熱交換器（64）を有する。
【０１２４】
〈中間ユニット〉
中間ユニット（80）は、切換機構（TV4）を有する冷凍装置用ユニットである。各中間ユニット（80）は、３本の連絡配管（7,8,9）と、室内ユニット（60）との間に接続される。各中間ユニット（80）には、第４三方弁（TV4）と中継管（81）とがそれぞれ設けられる。
【０１２５】
第４三方弁（TV4）は、実施形態１と同様、電動式のロータリ式の三方弁である。第４三方弁（TV4）は、第１ポート（P1）と第２ポート（P2）と第３ポート（P3）とを有する。第４三方弁（TV4）の第１ポート（P1）は、高圧流路である高圧連絡配管（7）に接続する。第４三方弁（TV4）の第２ポート（P2）は、低圧流路である低圧連絡配管（8）に接続する。第３三方弁（TV3）の第３ポート（P3）は、室内回路（61）のガス端に接続する。中継管（81）の一端は、中継連絡配管（9）に接続する。中継管（81）の他端は、室内回路（61）の液端に接続する。
【０１２６】
−運転動作−
実施形態２の空気調和装置（1A）の運転動作について説明する。空気調和装置（1A）は、冷房運転、暖房運転、及び冷房暖房同時運転を切り換えて行う。
【０１２７】
〈冷房運転〉
図１３に示す冷房運転では、第１室内ユニット（60A）と第２室内ユニット（60B）とが室内の冷房動作を行う。冷房運転では、第３三方弁（TV3）が第１状態、第１中間ユニット（80A）の第４三方弁（TV4）が第２状態、第２中間ユニット（80B）の第４三方弁（TV4）が第２状態となる。室外膨張弁（14）が所定開度で開放され、各室内ユニット（60）の室内膨張弁（63）の開度が過熱度制御により調節される。圧縮機（28）、室外ファン（12）、及び室内ファン（62）が運転される。
【０１２８】
図１３に示すように、圧縮機（28）で圧縮された冷媒は、室外熱交換器（13）で放熱し、中継連絡配管（9）から各中継管（81）に分流し、第１室内ユニット（60A）及び第２室内ユニット（60B）に流入する。第１室内ユニット（60A）では、室内膨張弁（63）で減圧された冷媒が、室内熱交換器（64）で蒸発する。この結果、室内空気が冷却される。第２室内ユニット（60B）では、室内膨張弁（63）で減圧された冷媒が、室内熱交換器（64）で蒸発する。この結果、室内空気が冷却される。
【０１２９】
各室内ユニット（60）で蒸発した冷媒は、低圧連絡配管（8）で合流し、圧縮機（28）に吸入された後、再び圧縮される。
【０１３０】
〈暖房運転〉
図１４に示す暖房運転では、第１室内ユニット（60A）と第２室内ユニット（60B）とが室内の暖房動作を行う。暖房運転では、第３三方弁（TV3）が第２状態、第１中間ユニット（80A）の第４三方弁（TV4）が第１状態、第２中間ユニット（80B）の第４三方弁（TV4）が第１状態となる。各室内膨張弁（63）が所定開度で開放され、室外膨張弁（14）の開度が過熱度制御により調節される。圧縮機（28）、室外ファン（12）、及び室内ファン（62）が運転される。
【０１３１】
図１４に示すように、圧縮機（28）で圧縮された冷媒は、高圧連絡配管（7）から各中間ユニット（80）に分流し、第１室内ユニット（60A）及び第２室内ユニット（60B）に流入する。第１室内ユニット（60A）では、室内熱交換器（64）で冷媒が放熱する。この結果、室内空気が加熱される。第２室内ユニット（60B）では、室内熱交換器（64）で冷媒が放熱する。この結果、室内空気が加熱される。各室内熱交換器（64）で加熱された冷媒は、中継連絡配管（9）で合流し、室外膨張弁（14）で減圧される。室外膨張弁（14）で減圧された冷媒は、圧縮機（28）に吸入された後、再び圧縮される。
【０１３２】
〈冷暖同時運転〉
図１５に示す冷暖同時運転では、例えば第１室内ユニット（60A）が冷房動作を行うと同時に第２室内ユニット（60B）が暖房動作を行う。詳細の説明は省略するが、第２室内ユニット（60B）が冷房動作を行い、第１室内ユニット（60A）が暖房動作を行うこともできる。
【０１３３】
本例の冷房暖房運転では、第３三方弁（TV3）が第１状態、第１中間ユニット（80A）の第４三方弁（TV4）が第２状態、第２中間ユニット（80B）の第４三方弁（TV4）が第１状態となる。第１室内ユニット（60A）の室内膨張弁（63）の開度が過熱度制御され、第２室内ユニット（60B）の室内膨張弁（63）、及び室外膨張弁（14）が所定開度で開放される。圧縮機（28）、室外ファン（12）、及び室内ファン（62）が運転される。
【０１３４】
図１５に示すように、圧縮機（28）で圧縮された冷媒は、一部が室外熱交換器（13）で放熱し、残りは高圧連絡配管（7）を流れる。高圧連絡配管（7）の冷媒は、第２中間ユニット（80B）を経由して第２室内ユニット（60B）に流入する。第２室内ユニット（60B）では、冷媒が室内熱交換器（64）で放熱する。この結果、室内空気が加熱される。第２室内ユニット（60B）で放熱した冷媒は、室外熱交換器（13）で放熱した冷媒は、中継連絡配管（9）で合流する。中継連絡配管（9）の冷媒は、第１中間ユニット（80A）を経由して第１室内ユニット（60A）に流入する。第１室内ユニット（60A）では、冷媒が室内膨張弁（63）で減圧された後、室内熱交換器（64）で蒸発する。この結果、室内空気が冷却される。室内ユニット（60）で蒸発した冷媒は、低圧連絡配管（8）を流れ、圧縮機（28）に吸入された後、再び圧縮される。
【０１３５】
−切換機構の作用効果−
実施形態２では、第３三方弁（TV3）及び第４三方弁（TV4）が切換機構を構成する。第３三方弁（TV3）及び第４三方弁（TV4）は、実施形態１と同様、電動機（74）によって駆動される電動式の三方弁である。このため、上述した各運転において、高低差圧に起因して大きな騒音が発生したり、弁ないし配管が損傷したりすることを抑制できる。
【０１３６】
−切換動作時の制御−
実施形態２における各運転の切換時には、実施形態１と同様の制御が行われる。コントローラ（100）に、ある運転から他の運転に切り換える指令が入力されると、圧縮機（28）が停止する。次いで、高圧流路（高圧管（24）及び高圧連絡配管（7））と、低圧流路（低圧管（25）及び低圧連絡配管（8））との圧力差を小さくする均圧制御が行われる。具体的には、冷房運転から暖房運転への切換時、及び冷房運転から冷暖同時運転の切換時には、室内膨張弁（63）の開度を大きくする、あるいは全開とする。暖房運転から冷房運転の切換時、及び暖房運転から冷暖同時運転の切換時には、室外膨張弁（14）の開度を大きくする、あるいは全開とする。冷暖同時運転から冷房運転の切換時、及び冷暖同時運転から暖房運転の切換時には、冷房動作を行っていた室内ユニット（60）の室内膨張弁（63）の開度を大きくする、あるいは全開とする。このように、実施形態２では、室内膨張弁（63）及び室外膨張弁（14）が差圧調節機構を構成する。
【０１３７】
圧縮機（28）を停止する制御、及び均圧制御が行われた後には、第３三方弁（TV3）及び第４三方弁（TV4）の切換動作が実行される。これにより、第３三方弁（TV3）及び第４三方弁（TV4）の切換動作中における高低差圧を低減でき、電動機（74）のトルクを軽減できる。
【０１３８】
圧縮機（28）を停止する制御、及び均圧制御は、第３三方弁（TV3）及び第４三方弁（TV4）の切換動作中に行ってもよい。加えて、第３三方弁（TV3）及び第４三方弁（TV4）の切換動作の開始前、又は切換動作中において、圧縮機（28）の運転周波数を低下させる、あるいは最低周波数とする制御を行うこともできる。
【０１３９】
《実施形態３》
実施形態３の冷凍装置は、空気調和装置（1A）を構成している。空気調和装置（1A）は、熱源ユニットである室外ユニット（10）と、利用ユニットである複数の室内ユニット（60）とを有する。空気調和装置（1A）は、冷房運転と暖房運転とを切り換えて行う。実施形態３の冷媒回路（6）は、実施形態１及び２と同様、二酸化炭素を臨界圧力以上とする冷凍サイクルを行う。
【０１４０】
図１６に示すように、実施形態３の室外ユニット（10）の室外回路（11）には、電動式の四方弁（FV）が設けられる。室外ユニット（10）は、切換機構である四方弁（FV）を有する冷凍装置用ユニットである。四方弁（FV）は、実施形態１及び２と同様、電動機（74）と、電動機（74）に駆動される流路切換部（71）とを有する。四方弁（FV）は、第１ポート（P1）と、第２ポート（P2）と、第３ポート（P3）と、第４ポート（P4）とを有する。第１ポート（P1）は、高圧流路である吐出管（28b）に接続し、第２ポート（P2）は、低圧流路である吸入管（28a）に接続する。第３ポート（P3）は、室外熱交換器（13）側の流路に接続し、第４ポート（P4）は、室内ユニット（60）側の流路に接続する。
【０１４１】
四方弁（FV）では、電動機（74）によって流路切換部（71）が回転駆動され、第１状態（図１６の実線で示す状態）と第２状態（図１６の破線で示す状態）とが切り換えられる。第１状態の四方弁（FV）は、第１ポート（P1）と第３ポート（P3）とを連通させ、且つ第２ポート（P2）と第４ポート（P4）とを連通させる。第２状態の四方弁（FV）は、第２ポート（P2）と第３ポート（P3）とを連通させ、且つ第１ポート（P1）と第４ポート（P4）とを連通させる。
【０１４２】
実施形態３の冷房運転では、四方弁（FV）が第１状態となる。室外膨張弁（14）が所定開度で開放され、室内膨張弁（63）の開度が過熱度制御により調節される。圧縮機（28）、室外ファン（12）、及び室内ファン（62）が運転される。冷房運転では、室外熱交換器（13）を放熱器とし、室内熱交換器（64）を蒸発器とする第１冷凍サイクルが行われる。
【０１４３】
実施形態３の暖房運転では、四方弁（FV）が第２状態となる。室内膨張弁（63）が所定開度で開放され、室外膨張弁（14）の開度が過熱度制御により調節される。圧縮機（28）、室外ファン（12）、及び室内ファン（62）が運転される。暖房運転では、室内熱交換器（64）を放熱器とし、室外熱交換器（13）を蒸発器とする第２冷凍サイクルが行われる。
【０１４４】
実施形態３では、四方弁（FV）が電動式であるため、冷房運転及び暖房運転の切換時において、大きな騒音が発生したり、弁や配管が損傷したりすることを抑制できる。
【０１４５】
冷房運転から暖房運転への切換時には、四方弁（FV）の切換動作の開始前、又は切換動作中に圧縮機（28）を停止する。加えて、冷房運転から暖房運転への切換時には、四方弁（FV）の切換動作の開始前、又は切換動作中に、差圧調節機構である室内膨張弁（63）の開度を大きくする、あるいは全開とする。これにより、四方弁（FV）の電動機（74）のトルクを軽減できる。
【０１４６】
暖房運転から冷房運転への切換時には、四方弁（FV）の切換動作の開始前、又は切換動作中に圧縮機（28）を停止する。加えて、暖房運転から冷房運転への切換時には、四方弁（FV）の切換動作の開始前、又は切換動作中に、差圧調節機構である室外膨張弁（14）の開度を大きくする、あるいは全開とする。これにより、四方弁（FV）の電動機（74）のトルクを軽減できる。
【０１４７】
実施形態３において、吐出管（28b）と吸入管（28a）とを連通させる配管を設け、均圧制御を行うこともできる。加えて、実施形態３において、四方弁（FV）の切換動作の開始前、又は切換動作中において、圧縮機（28）の運転周波数を低下させる、あるいは最低周波数とする制御を行うこともできる。
【０１４８】
《その他の実施形態》
上記実施形態や、各変形例においては、以下のような構成としてもよい。
【０１４９】
圧縮部（C）は、モータと、該モータに連結する１本の駆動軸と、該駆動軸に連結される２つ以上の圧縮機構を有する多段型圧縮機であってもよい。この構成において、切換機構の切換動作の開始前、又は切換動作中に多段型圧縮機を停止させる、あるいは多段型圧縮機の運転周波数（駆動軸の回転数）を低下させてもよい。
【０１５０】
利用熱交換器は、必ずしも空気熱交換器でなくてもよい。例えば実施形態１の室内熱交換器（64）を、水や他の熱媒体と熱交換する熱交換器としてもよい。この構成では、熱交換器を蒸発器とすることで、水や他の熱媒体を冷却できる。あるいは、熱交換器を放熱器とすることで、水や他の熱媒体を加熱できる。
【０１５１】
切換機構は、電動式であればよく、必ずしもロータリ式でなくてもよい。例えば電動機（74）の回転運動を直進運動に変換しながら流路切換部（71）を駆動し、各ポートの連通状態を切り換える構成であってもよい。
【０１５２】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【０１５３】
以上説明したように、本開示は、冷凍装置用ユニット、熱源ユニット、及び冷凍装置について有用である。
【符号の説明】
【０１５４】
１      冷凍装置
１Ａ    空気調和装置（冷凍装置）
７      高圧連絡配管（高圧流路）
８      低圧連絡配管（低圧流路）
１０    室外ユニット（熱源ユニット、冷凍装置用ユニット）
１１    冷媒回路
１３    熱源熱交換器
１４    室外膨張弁（差圧調節機構）
２１    第１圧縮機（圧縮部）
２２    第２圧縮機（圧縮部）
２３    第３圧縮機（圧縮部）
２４    高圧管（高圧流路）
２５    低圧管（低圧流路）
２８ａ  吸入管（低圧流路）
２８ｂ  高圧管（高圧流路）
３１    第１配管（高圧流路）
３２    第２配管（高圧流路）
３３    第３配管（低圧流路）
３４    第４配管（低圧流路）
６４    室内熱交換器（利用熱交換器）
７１    流路切換部
７４    電動機
８０    中間ユニット（冷凍装置ユニット）
１００  コントローラ（制御部）
ＴＶ１  第１三方弁（切換機構）
ＴＶ２  第２三方弁（切換機構）
ＴＶ３  第３三方弁（切換機構）
ＴＶ４  第４三方弁（切換機構）
ＦＶ    四方弁
Ｐ１    第１ポート
Ｐ２    第２ポート
Ｐ３    第３ポート
Ｐ４    第４ポート
【図１】
2020165585.tif 000003
【図２】
2020165585.tif 000004
【図３】
2020165585.tif 000005
【図４】
2020165585.tif 000006
【図５】
2020165585.tif 000007
【図６】
2020165585.tif 000008
【図７】
2020165585.tif 000009
【図８】
2020165585.tif 000010
【図９】
2020165585.tif 000011
【図１０】
2020165585.tif 000012
【図１１】
2020165585.tif 000013
【図１２】
2020165585.tif 000014
【図１３】
2020165585.tif 000015
【図１４】
2020165585.tif 000016
【図１５】
2020165585.tif 000017
【図１６】
2020165585.tif 000018